(57)【要約】【課題】隙間にて水分が凍結することを抑制できる電磁弁及びバルブ装置を提供すること。【解決手段】電磁弁４０の弁体５１は、スリーブ４１内に少なくとも一部が嵌挿される本体部５２と、スリーブ４１の軸線方向の第１端４１ｂよりも弁座２６寄りに位置するシール部５３と、スリーブ４１の第１端４１ｂよりも弁座２６寄りに位置し、かつ弁体５１の軸線方向に沿うシール部５３と本体部５２の間から、当該本体部５２の外周面よりも径方向外側に張り出すガス規制部５４と、を有している。【選択図】図２
2022003261.tif 000002
【特許請求の範囲】
【請求項１】
スリーブと、  
前記スリーブ内を摺動する可動鉄心と、
前記可動鉄心の動作により弁座に接離するシール部を有する弁体と、を備える電磁弁であって、
前記弁体は、前記スリーブ内に少なくとも一部が嵌挿される本体部と、
前記スリーブの軸線方向の端よりも前記弁座寄りに位置する前記シール部と、
前記スリーブの前記軸線方向の端よりも前記弁座寄りに位置し、かつ前記軸線方向における前記シール部と前記本体部の間から当該シール部及び本体部の外周面よりも径方向外側に張り出すガス規制部と、を有していることを特徴とする電磁弁。
【請求項２】
前記弁体は、前記ガス規制部の外周縁から前記弁座に向けて突出する返し部を有する請求項１に記載の電磁弁。
【請求項３】
前記弁体は、前記軸線方向における前記シール部とガス規制部との間に柱状の軸部を有する請求項２に記載の電磁弁。
【請求項４】
前記シール部は前記弁体の径方向に沿った外周側から内周側に向かうに従い前記弁座に近づくように傾斜し、前記シール部の傾斜に沿う仮想線を想定し、前記仮想線を前記ガス規制部に向けて延長した場合、当該仮想線が前記ガス規制部に交差するように前記シール部の傾斜角度が設定されている請求項２又は請求項３に記載の電磁弁。
【請求項５】
タンク内に向けて開口するタンク側開口部と、外部に向けて開口するバルブ側開口部とを連通するガス流路を有するボディと、
前記ボディに搭載され、前記ガス流路を開閉する電磁弁と、を有するバルブ装置であって、
前記ガス流路は、前記バルブ側開口部を含む第１流路と、前記タンク側開口部を含む第２流路を有するとともに、
前記第１流路の中心軸線である第１中心軸線と前記第２流路の中心軸線である第２中心軸線とが交差する交差部を有しており、
前記第１流路は前記タンクに対するガスの充填時に前記第２流路の上流側となり、前記電磁弁は、前記ガスの充填時には前記ガス流路を開くとともに、前記ガスの充填終了時には前記ガス流路を閉じ、前記弁座は、前記交差部よりも反第２流路側となる前記第１流路に配置され、
前記電磁弁は請求項１〜請求項４のうちいずれか一項に記載の電磁弁であることを特徴とするバルブ装置。
【発明の詳細な説明】
【技術分野】
【０００１】
本発明は、電磁弁及びバルブ装置に関する。
【背景技術】
【０００２】
従来、高圧のガスを収容するタンクの口金にはバルブ装置が取り付けられる。バルブ装置は、タンクに対するガスの給排を制御する。バルブ装置は、ガスが流れるガス流路を有するボディと、ボディに搭載される電磁弁等の各種バルブとを一体に備える。電磁弁はガス流路を開閉することにより、ガス流路のガスの流動を制御する。例えば特許文献１に開示される電磁弁は、スリーブと、スリーブ内を摺動する可動鉄心と、可動鉄心の動作により弁座に接離する弁体と、を備えている。弁体は、可動鉄心の動作によって弁座に接離することにより、ガス流路に連通する通路を開閉する。
【先行技術文献】
【特許文献】
【０００３】
【特許文献１】特開２０１９−１５８０７２号公報
【発明の概要】
【発明が解決しようとする課題】
【０００４】
ところが、電磁弁においては、弁体の収容された弁室にガスが流れ込むと、ガスが、スリーブの内周面と弁体の外周面との隙間に入り込む。ガスに水分が含まれていると、隙間に水分が残る。隙間に水分が残った状態で、電磁弁が低温に曝されると、隙間にて水分が凍結し、弁体がスリーブに対して固着するなど電磁弁の作動不良が発生する虞がある。
【０００５】
本発明の目的は、隙間にて水分が凍結することを抑制できる電磁弁及びバルブ装置を提供することにある。
【課題を解決するための手段】
【０００６】
上記問題点を解決するための電磁弁は、スリーブと、前記スリーブ内を摺動する可動鉄心と、前記可動鉄心の動作により弁座に接離するシール部を有する弁体と、を備える電磁弁であって、前記弁体は、前記スリーブ内に少なくとも一部が嵌挿される本体部と、前記スリーブの軸線方向の端よりも前記弁座寄りに位置する前記シール部と、前記スリーブの前記軸線方向の端よりも前記弁座寄りに位置し、かつ前記軸線方向における前記シール部と前記本体部の間から当該シール部及び本体部の外周面よりも径方向外側に張り出すガス規制部と、を有していることを要旨とする。
【０００７】
これによれば、ガス規制部により、弁座側からスリーブの端を覆うことができ、結果として、スリーブの内周面と本体部の外周面との隙間をガス規制部によって弁座側から覆うことができる。このため、弁孔から流れ込んだガスの流れをガス規制部によって遮り、隙間に向けてガスを流れ難くすることができる。また、ガス規制部に当たったガスが、ガス規制部付近で滞留するため、ガスが隙間に向けて流れ難くなる。その結果、隙間へのガスの侵入を抑制でき、ガスに含まれる水分が隙間に残りにくくなる。したがって、低温時に、隙間にて水分が凍結することを抑制でき、電磁弁の作動不良の発生を抑制できる。
【０００８】
電磁弁について、前記弁体は、前記ガス規制部の外周縁から前記弁座に向けて突出する返し部を有していてもよい。
これによれば、ガスは、ガス規制部に当たった後、ガス規制部の外周縁に向かって流れやすい。そして、ガス規制部の外周縁に流れたガスが返し部によって堰き止められるとともに、弁座に向かうようにガスの流れを案内できる。その結果、ガスが隙間に向けて流れ難くなり、隙間へのガスの侵入を抑制できる。
【０００９】
電磁弁について、前記弁体は、前記軸線方向における前記シール部とガス規制部との間に柱状の軸部を有していてもよい。
これによれば、シール部に沿って隙間に向かうガスを、軸部の外周面に沿って流すことができるため、軸部の無い場合と比べると、ガスをガス規制部の内周側に向けて流しやすくなる。つまり、ガスがガス規制部の外周縁側に向けて流れ難くなる。
【００１０】
電磁弁について、前記シール部は前記弁体の径方向に沿った外周側から内周側に向かうに従い前記弁座に近づくように傾斜し、前記シール部の傾斜に沿う仮想線を想定し、前記仮想線を前記ガス規制部に向けて延長した場合、当該仮想線が前記ガス規制部に交差するように前記シール部の傾斜角度が設定されていてもよい。
【００１１】
これによれば、弁室に入り込んだガスがシール部に沿って流れると、シール部の傾斜により、燃料ガスがガス規制部に向かうようにガスを案内できる。このため、弁室に入り込んだガスをガス規制部に当てて弁座に向けて流し返しやすくなり、燃料ガスを隙間に向けて流れ難くすることができる。
【００１２】
上記問題点を解決するためのバルブ装置は、タンク内に向けて開口するタンク側開口部と、外部に向けて開口するバルブ側開口部とを連通するガス流路を有するボディと、前記ボディに搭載され、前記ガス流路を開閉する電磁弁と、を有するバルブ装置であって、前記ガス流路は、前記バルブ側開口部を含む第１流路と、前記タンク側開口部を含む第２流路を有するとともに、前記第１流路の中心軸線である第１中心軸線と前記第２流路の中心軸線である第２中心軸線とが交差する交差部を有しており、前記第１流路は前記タンクに対するガスの充填時に前記第２流路の上流側となり、前記電磁弁は、前記ガスの充填時には前記ガス流路を開くとともに、前記ガスの充填終了時には前記ガス流路を閉じ、前記弁座は、前記交差部よりも反第２流路側となる前記第１流路に配置され、前記電磁弁は請求項１〜請求項４のうちいずれか一項に記載の電磁弁であることを要旨とする。
【００１３】
これによれば、交差部は、ガス流路におけるタンク内部と弁座との間に位置する部位のうち、弁座よりもタンク内部側に位置する。このため、交差部に作用するのは常にタンク内の圧力であり、交差部に作用する圧力の変化が小さい。よって、ガス充填及びガス供給が行われる毎に、第１流路と第２流路の交差部に発生する圧力変動による負荷を小さく抑えることができ、ガス流路への耐圧疲労寿命の悪影響が抑制される。
【発明の効果】
【００１４】
本発明によれば、隙間にて水分が凍結することを抑制できる。
【図面の簡単な説明】
【００１５】
【図１】燃料電池自動車のガスタンク、バルブ装置、及び燃料電池を示す概略図。
【図２】バルブ装置を示す断面図。
【図３】ガス流路の弁室付近を拡大して示す断面図。
【図４】第１の実施形態の弁体の閉弁状態を示す部分拡大断面図。
【図５】第１の実施形態の弁体の開弁状態を示す部分拡大断面図。
【図６】第２の実施形態の弁体の閉弁状態を示す部分拡大断面図。
【図７】第２の実施形態の弁体の開弁状態を示す部分拡大断面図。
【発明を実施するための形態】
【００１６】
（第１の実施形態）
以下、電磁弁及びバルブ装置を具体化した第１の実施形態を図１〜図５にしたがって説明する。
【００１７】
図１に示すように、本実施形態のバルブ装置１０は、燃料電池自動車Ｖに搭載される。燃料電池自動車Ｖは、燃料電池１２で発電した電力により走行する車両である。燃料電池自動車Ｖには、燃料電池１２と、燃料電池１２に供給する燃料ガスを貯留するタンクとしてのガスタンク１１と、ガスタンク１１に取り付けられるバルブ装置１０と、が搭載されている。本実施形態では、ガスタンク１１内の貯留室には燃料ガスとして、高圧の水素ガスが貯留されている。
【００１８】
ガスタンク１１、燃料電池１２及びバルブ装置１０は、燃料電池自動車Ｖの後部のフロアパネルの下に搭載されている。ただし、ガスタンク１１、燃料電池１２及びバルブ装置１０の搭載場所は、燃料電池自動車Ｖの後部のフロアパネルの下に限らず適宜変更してもよく、例えば、燃料電池自動車Ｖの前部や、トランクルームの下方などであってもよい。また、本実施形態では、バルブ装置１０は、燃料電池自動車Ｖの車体Ｆの下方からメンテナンスを行えるように、バルブ装置１０の下面側を車体Ｆの下から露出させて搭載されている。
【００１９】
図２に示すように、バルブ装置１０は、ガスステーション１３からガスタンク１１への燃料ガスの充填、及びガスタンク１１から燃料電池１２への燃料ガスの供給を制御する。バルブ装置１０は、ボディ２０と、ボディ２０が有するガス流路３０を開閉する電磁弁４０と、ガス流路３０を手動操作によって開閉する手動弁７０と、を有する。本実施形態では、ボディ２０の第１方向を車両前後方向Ｘとし、第１方向に直交する第２方向を車両左右方向Ｙとし、第１方向及び第２方向に直交する第３方向を車両上下方向Ｚとする。
【００２０】
ボディ２０は、例えば、アルミ合金製のブロック状である。ボディ２０は、第１方向の第１端面としての前端面２０ａに第１取付孔２１を有し、第１方向の第２端面としての後端面２０ｂに第２取付孔２２を有する。また、ボディ２０は下端面２０ｃに第３取付孔２３を有する。バルブ装置１０において、電磁弁４０は第１取付孔２１に取り付けられることでボディ２０に搭載されている。また、手動弁７０は、第３取付孔２３に取り付けられることでボディ２０に搭載されている。第２取付孔２２には、継手２４が取り付けられている。なお、継手２４には配管２８が接続されている。配管２８からは充填用配管２９ａと供給配管２９ｂが分岐している。充填用配管２９ａにはガスステーション１３が接続可能であり、供給配管２９ｂには減圧弁１４を介して燃料電池１２が接続されている。また、ボディ２０は、第２方向の端面としての右端面に、後述するタンク側開口部３３ｂを有し、タンク側開口部３３ｂはガスタンク１１に向けて開口している。
【００２１】
図２又は図３に示すように、第１取付孔２１は、段付き孔である。第１取付孔２１は、ボディ２０の前端面２０ａに開口する大径孔２１ｂと、大径孔２１ｂよりもボディ２０の後端面２０ｂ寄りに位置する小径孔２１ａとを有し、小径孔２１ａは大径孔２１ｂよりも小径である。小径孔２１ａと大径孔２１ｂは同軸上に位置する。
【００２２】
小径孔２１ａの内底面２１ｃには、第１接続流路３１の軸線方向の両端のうち小径孔２１ａ寄りの第１端が弁孔３１ａとして開口している。また、第１接続流路３１の軸線方向の両端のうち、弁孔３１ａとは反対側の端である第２端はバルブ側開口部３１ｂとして第２取付孔２２の内底面２２ａに開口している。第１接続流路３１は、車両前後方向Ｘに直線状に延びる流路である。このため、第１接続流路３１の中心軸線Ｖ１は、車両前後方向Ｘに直線状に延びている。小径孔２１ａの底部には弁座２６が設けられている。弁座２６は、弁孔３１ａの内周面を、小径孔２１ａの内底面２１ｃに向けて拡径する形状に形成して構成されている。
【００２３】
大径孔２１ｂの内周面には雌ねじが形成されている。つまり、大径孔２１ｂは雌ねじ孔であり、大径孔２１ｂを有する第１取付孔２１は、内周面の一部に雌ねじを有する雌ねじ孔であるといえる。そして、大径孔２１ｂには、電磁弁４０をボディ２０に取り付けるための取付部材３８が螺合され、取付部材３８によって電磁弁４０がボディ２０に取り付けられている。
【００２４】
ここで、電磁弁４０について説明する。電磁弁４０は、スリーブ４１と、スリーブ４１内に固定された固定鉄心４７と、スリーブ４１内を摺動する可動鉄心４９と、可動鉄心４９の動作により移動する弁体５１と、可動鉄心４９を駆動させるソレノイド５５と、可動鉄心４９を付勢する付勢部材５０とを有する。
【００２５】
スリーブ４１は、円筒状である。スリーブ４１の中心軸線Ｎの延びる方向を、スリーブ４１の軸線方向とする。なお、スリーブ４１の中心軸線Ｎは、電磁弁４０の中心軸線でもある。本実施形態では、スリーブ４１の中心軸線Ｎは車両前後方向Ｘに延び、スリーブ４１の軸線方向は車両前後方向Ｘに一致する。スリーブ４１の軸線方向の両端のうち、第１取付孔２１寄りの端を第１端４１ｂとし、第１端４１ｂと反対側の端を第２端４１ｃとする。スリーブ４１は、軸線方向の第１端４１ｂ及び第２端４１ｃにおいて開口する。スリーブ４１は、軸線方向に延びる摺動孔４１ａを内部に備える。
【００２６】
スリーブ４１は、軸線方向の第１端４１ｂを含む挿入部４２と、挿入部４２よりも第２端４１ｃ側に位置する円板状のスリーブ側規制部４３と、スリーブ側規制部４３よりも第２端４１ｃ側に位置する筒状のスリーブ本体４４と、を有する。なお、スリーブ４１の第２端４１ｃは環状の蓋部４５によって構成されている。スリーブ４１の内径は、蓋部４５を除く部分では軸線方向に一定であり、スリーブ４１の外径は、部位によって異なる。
【００２７】
具体的には、挿入部４２の外径は、スリーブ側規制部４３の外径より小さく、かつスリーブ本体４４の外径より大きい。なお、本実施形態では、挿入部４２の外径をスリーブ本体４４の外径より大きくしたが、これに限らず、挿入部４２の外径は、スリーブ本体４４の外径と同じ又は小さくてもよい。
【００２８】
そして、挿入部４２の外径は、小径孔２１ａの内径より僅かに小さく、挿入部４２は大径孔２１ｂを介して小径孔２１ａに挿入されている。挿入部４２の外周面にはＯリング等のシール部材４６が装着されている。シール部材４６は、挿入部４２の外周面と小径孔２１ａの内周面に密接し、挿入部４２の外周面と小径孔２１ａの内周面との間を気密にシールする。
【００２９】
スリーブ４１の第１端４１ｂと小径孔２１ａの内底面２１ｃとは、スリーブ４１の軸線方向に離間している。そして、スリーブ４１の第１端４１ｂと、小径孔２１ａの内周面と、小径孔２１ａの内底面２１ｃとの間で囲まれる空間には弁室Ｓが画成されている。弁室Ｓには、弁孔３１ａが連通可能であるとともに、弁座２６が面している。
【００３０】
スリーブ側規制部４３は、挿入部４２及びスリーブ本体４４よりも径方向外側へ突出する円板状である。スリーブ側規制部４３の外径は、小径孔２１ａの内径よりも大きく、かつ大径孔２１ｂの内径より小さい。スリーブ側規制部４３は、小径孔２１ａには挿入されず、大径孔２１ｂ内に位置している。スリーブ本体４４の一部は大径孔２１ｂ内に位置し、その他の部分がボディ２０の外側に突出している。
【００３１】
固定鉄心４７は、スリーブ４１内に固定されている。固定鉄心４７は、摺動孔４１ａのうちスリーブ本体４４に位置する部分に圧入される円柱状の圧入部４７ａと、蓋部４５を貫通する軸部４７ｂとを有する。圧入部４７ａにおいて、軸部４７ｂ寄りの端面は、蓋部４５の内面に接触し、この接触により、スリーブ４１から固定鉄心４７が抜け出ることが防止されている。
【００３２】
圧入部４７ａの外周面には、Ｏリング等のシール部材４８が装着されている。シール部材４８は、圧入部４７ａの外周面とスリーブ４１の内周面に密接し、圧入部４７ａの外周面とスリーブ４１の内周面との間を気密にシールする。軸部４７ｂは外周面に雄ねじを有する。軸部４７ｂは、蓋部４５を貫通してスリーブ４１の第２端４１ｃよりもスリーブ４１の外に突出している。軸部４７ｂにはナット６３が螺合されている。
【００３３】
スリーブ４１の摺動孔４１ａには、可動鉄心４９がスリーブ４１の軸線方向へ摺動可能に収容されている。可動鉄心４９は円柱状である。可動鉄心４９の外径は、スリーブ４１の内径より僅かに小さい。可動鉄心４９は、固定鉄心４７に対向する端面から円柱状に凹むように形成された収容部４９ａを有する。収容部４９ａ内には付勢部材５０が収容されている。付勢部材５０としては、例えばコイルばねが挙げられるが、その他にも板ばねやゴムでもよい。要は、可動鉄心４９を弁座２６に向けて付勢できれば、付勢部材５０の構成は適宜変更してもよい。
【００３４】
付勢部材５０の第１端は、収容部４９ａの内底面に接触し、付勢部材５０の第２端は、固定鉄心４７の圧入部４７ａに接触している。付勢部材５０は、圧縮状態で可動鉄心４９と固定鉄心４７の間に配置され、圧縮状態からの復帰力を付勢力として可動鉄心４９を弁座２６に向けて付勢している。
【００３５】
本実施形態では、付勢部材５０の付勢力は、ガスステーション１３からの燃料ガスの供給圧力による荷重より小さくなるように設定されている。そして、付勢部材５０の付勢力により、後述の弁体５１は弁座２６に着座している。このときの可動鉄心４９と固定鉄心４７との離間距離を鉄心間距離Ｒ１とする。
【００３６】
スリーブ４１の摺動孔４１ａには、弁体５１の一部が嵌挿されている。弁体５１は、可動鉄心４９の軸線方向の両端部のうち、収容部４９ａの設けられた端部とは反対側の端部に取着されている。
【００３７】
図４に示すように、弁体５１は、円筒状の本体部５２と、本体部５２の外周面よりも弁体５１の径方向に突出するガス規制部５４と、ガス規制部５４から弁座２６に向けて円錐状に突出するシール部５３と、を有する。
【００３８】
本体部５２の外径は、スリーブ４１の内径より僅かに小さい。本体部５２の内側には、可動鉄心４９から弁体５１に向けて突出する連結部４９ｂが挿入されている。連結部４９ｂと本体部５２は支持ピン６４によって連結されている。本体部５２には、支持ピン６４が遊挿され、可動鉄心４９に弁体５１が取着されている。そして、弁体５１は、可動鉄心４９の動作により移動可能に構成されている。
【００３９】
本体部５２は、スリーブ４１内としての挿入部４２内に嵌挿されている。本実施形態では、本体部５２の外周面は、挿入部４２の内周面に摺接する。このため、弁体５１における本体部５２の外周面と、スリーブ４１の内周面との間には隙間が存在する。
【００４０】
ガス規制部５４は、弁体５１の中心軸線Ｂの延びる方向において、本体部５２とシール部５３の間に位置する。ガス規制部５４は、本体部５２寄りに接触面５４ａを有し、シール部５３寄りにガス規制面５４ｂを有する。接触面５４ａ及びガス規制面５４ｂは、弁体５１の径方向に環状に延びる平坦面である。ガス規制部５４の外径は、小径孔２１ａの内径より小さい。このため、ガス規制部５４の外周面は、小径孔２１ａの内周面から離間している。
【００４１】
シール部５３は、可動鉄心４９の動作により弁座２６に接離する。シール部５３は、スリーブ４１の軸線方向に沿って本体部５２からシール部５３の先端に向かうに従い縮径する。つまり、シール部５３は弁体５１の径方向に沿った外周側から内周側に向かうに従い弁座２６に近づくように傾斜している。シール部５３の外周面は円錐状である。スリーブ４１の軸線方向に沿うシール部５３の断面視において、シール部５３の円錐における傾斜に沿う線を仮想線Ｈとする。仮想線Ｈは、弁体５１の中心軸線Ｂに対して傾斜角度θ１で傾斜する。したがって、シール部５３の外周面は、弁体５１の中心軸線Ｂに対して傾斜角度θ１で傾斜する。
【００４２】
シール部５３の先端での直径は、弁孔３１ａの直径より僅かに小さく、シール部５３の先端は、弁孔３１ａ内に挿入される。シール部５３の先端が弁孔３１ａ内に挿入され、シール面が弁座２６に接することにより、弁孔３１ａが閉じられ、バルブ側開口部３１ｂと弁室Ｓとの連通が遮断される。電磁弁４０において、付勢部材５０の付勢力によってシール部５３が弁座２６に着座し、弁体５１によって弁孔３１ａが閉じられる位置を閉弁位置Ｋ１とする。なお、閉弁位置Ｋ１では、本体部５２の一部が挿入部４２に嵌挿されている。
【００４３】
閉弁位置Ｋ１では、ガス規制部５４の接触面５４ａは、スリーブ４１の軸線方向に沿って第１端４１ｂから離間している。閉弁位置Ｋ１において、スリーブ４１の軸線方向に沿った接触面５４ａと第１端４１ｂとの離間距離を弁体離間距離Ｒ２とする。本実施形態では、弁体離間距離Ｒ２は、上記した鉄心間距離Ｒ１と同じに設定されている。電磁弁４０を、図示するようなパイロット式電磁弁とした場合には、鉄心間距離Ｒ１及び弁体離間距離Ｒ２の大きさに若干の調整が必要となるが、ここでは、弁体５１が可動鉄心４９の端部に一体化されているものとして鉄心間距離Ｒ１及び弁体離間距離Ｒ２の大きさを設定している。
【００４４】
一方、後述するソレノイド５５に電力が供給され、可動鉄心４９が付勢部材５０の付勢力に抗して固定鉄心４７に接触するまで移動すると、可動鉄心４９とともに弁体５１が弁座２６から離れる。このとき、鉄心間距離Ｒ１は「ゼロ」になる。すると、シール部５３が弁座２６から離れ、弁孔３１ａが開かれる。電磁弁４０において、シール部５３が弁座２６から離れ、弁孔３１ａが開かれる位置を開弁位置Ｋ２とする。なお、開弁位置Ｋ２では、本体部５２の全てが挿入部４２に嵌挿されている。
【００４５】
開弁位置Ｋ２では、バルブ側開口部３１ｂと弁室Ｓが連通する。開弁位置Ｋ２では、ガス規制部５４の接触面５４ａは、スリーブ４１の第１端４１ｂに接触している。開弁位置Ｋ２において弁体離間距離Ｒ２は「ゼロ」になる。したがって、開弁位置Ｋ２では、鉄心間距離Ｒ１及び弁体離間距離Ｒ２が「ゼロ」になる。
【００４６】
そして、ガス規制部５４の接触面５４ａがスリーブ４１の第１端４１ｂに接触することにより、弁体５１における本体部５２の外周面と、スリーブ４１における挿入部４２の内周面との隙間の入口が、ガス規制部５４によって弁座２６側から閉じられる。
【００４７】
ソレノイド５５は、電力が供給されることにより、可動鉄心４９を駆動させるための動力を発生させるものである。ソレノイド５５は、スリーブ本体４４の外周側に配置される円筒状のボビン５６と、ボビン５６の外周に設けられる巻線５７と、を有する。
【００４８】
電磁弁４０は、ソレノイド５５を含むスリーブ本体４４を覆うカバー５８を有する。カバー５８の軸線方向の両端のうち、ボディ２０から離れた端を第１端とし、ボディ２０寄りの端を第２端とする。カバー５８は、筒状の外周壁５９と、外周壁５９における第１端に設けられる天板６０と、外周壁５９の内側で二重筒構造を形成し、かつ外周壁５９における第２端に連続する内周壁６１とを有する。
【００４９】
カバー５８は、外周壁５９の第２端にて開口する筒状である。カバー５８は、天板６０の中央部に貫通孔６０ａを有する。また、カバー５８の内周壁６１の内周面には、巻線５７の巻かれたボビン５６が一体化されている。このため、カバー５８にはソレノイド５５が一体化されている。
【００５０】
カバー５８の貫通孔６０ａには、スリーブ４１の蓋部４５を貫通した固定鉄心４７の軸部４７ｂが貫通している。カバー５８を貫通した軸部４７ｂの雄ねじには上記したようにナット６３が螺合されている。軸部４７ｂに対するナット６３の螺合により、カバー５８が電磁弁４０に取り付けられるとともに、カバー５８によってソレノイド５５が覆われている。
【００５１】
上記構成の電磁弁４０は、取付部材３８によってボディ２０に取り付けられている。取付部材３８は、スリーブ本体４４が挿入される環状である。取付部材３８は、外周面に雄ねじを有するナットである。取付部材３８の雄ねじが、大径孔２１ｂの雌ねじに螺合されることにより、スリーブ４１がボディ２０に取り付けられる。
【００５２】
取付部材３８は、内周部にナット側規制部３８ａを有する。取付部材３８の中心軸線Ｒが延びる方向を取付部材３８の軸線方向とする。ナット側規制部３８ａは、取付部材３８の軸線方向における第１取付孔２１内に位置する端面から環状に凹むように形成されている。ナット側規制部３８ａの内周面での取付部材３８の内径は、スリーブ側規制部４３の外径より僅かに大きい。スリーブ側規制部４３は、ナット側規制部３８ａの内側に配置される。ナット側規制部３８ａの内底面は、取付部材３８の径方向へ平坦に延びる環状面である。そして、ナット側規制部３８ａの内底面には、スリーブ側規制部４３における第２端４１ｃ寄りの環状面が接触する。
【００５３】
取付部材３８は、軸線方向におけるボディ２０の外側にフランジ３９を有する。フランジ３９での取付部材３８の外径は、雄ねじでの取付部材３８の外径より大きく、かつ大径孔２１ｂの内径より大きい。取付部材３８は、フランジ３９がボディ２０の前端面２０ａに接触するまで大径孔２１ｂに螺合されている。
【００５４】
フランジ３９がボディ２０の前端面２０ａに接触するまで取付部材３８が大径孔２１ｂに螺合されることにより、スリーブ４１がボディ２０に取り付けられ、電磁弁４０がボディ２０に取り付けられる。また、ナット側規制部３８ａの内底面は、スリーブ側規制部４３の環状面に接触し、この接触により、スリーブ４１の取付部材３８からの抜け出しが防止されている。
【００５５】
ボディ２０において、第２取付孔２２は内周面に雌ねじが形成された雌ねじ孔である。第２取付孔２２には、継手２４が螺着されている。継手２４は、第２取付孔２２に螺合される雄ねじを外周面に有する接続部２４ａと、接続部２４ａからボディ２０の外に向けて突出するコネクタ部２４ｂとを有する。また、継手２４は、当該継手２４の中心軸線Ｌに沿って延びる継手内流路２４ｃを有する。継手内流路２４ｃの軸線方向の両端のうち、ボディ２０寄りの端を第１端とし、第１端とは反対側の端を第２端とする。継手内流路２４ｃの第１端は、第１接続流路３１のバルブ側開口部３１ｂに連通し、継手内流路２４ｃの第２端は、コネクタ部２４ｂの端面から外部に向けて開口している。したがって、バルブ側開口部３１ｂは外部に開口しているといえる。コネクタ部２４ｂには、インレット及びアウトレット共用の配管２８が接続され、配管２８の内部は継手内流路２４ｃに連通している。
【００５６】
ボディ２０において、第３取付孔２３は、段付き孔である。第３取付孔２３は、ボディ２０の下端面２０ｃに開口する締結孔２３ｂと、締結孔２３ｂより奥に位置するガイド孔２３ａと、を有する。締結孔２３ｂはガイド孔２３ａより大径である。ガイド孔２３ａと締結孔２３ｂは同軸上に設けられている。ガイド孔２３ａは、手動弁７０の移動を案内するための孔である。ガイド孔２３ａの内周面の周方向の一部にはタンク側開口部３３ｂが開口している。
【００５７】
締結孔２３ｂは内周面に雌ねじが形成された雌ねじ孔である。締結孔２３ｂには、手動弁７０をボディ２０に取り付けるための締結部材８０が螺合され、締結部材８０によって手動弁７０がボディ２０に取り付けられている。
【００５８】
手動弁７０は、ガイド孔２３ａに挿入されるガイド部７１と、ガイド部７１の中心軸線Ｊの延びる軸線方向の両端のうち、ガイド孔２３ａ寄りの第１端から突出する弁部７２と、ガイド部７１の軸線方向の両端のうち、第１端とは反対側の第２端から突出する螺子部７３と、螺子部７３からガイド部７１とは反対側へ突出する操作部７４と、を有する。
【００５９】
ガイド部７１は、円柱状である。ガイド部７１は、ガイド孔２３ａ内を摺動する。弁部７２は、弁室Ｓに連通する第２接続流路３２の第２端３２ｂを開閉する。なお、第２接続流路３２は、第１取付孔２１の小径孔２１ａと、第３取付孔２３のガイド孔２３ａとを接続する。第２接続流路３２の軸線方向の両端のうち、小径孔２１ａ寄りの端を第１端３２ａとし、ガイド孔２３ａ寄りの端を第２端３２ｂとする。第１端３２ａは小径孔２１ａの内周面に開口し、第２端３２ｂは、第３取付孔２３の内底面２３ｃに開口している。第２接続流路３２は、車両上下方向Ｚに直線状に延びる流路である。このため、第２接続流路３２の中心軸線Ｖ２は、車両上下方向Ｚに直線状に延びている。
【００６０】
螺子部７３は外周面に雄ねじを有する。螺子部７３の外径は、ガイド部７１より大きい。操作部７４は、螺子部７３より小径であり、六角柱状である。操作部７４は、工具としてのスパナによって手動操作される部位である。なお、操作部７４の形状は適宜変更してもよく、操作部７４の形状に応じて、操作部７４を手動操作するための工具の形状も変更される。
【００６１】
締結部材８０は、環状である。締結部材８０は内周面に雌ねじ孔を有するとともに、外周面に雄ねじを有するナットである。締結部材８０は、締結孔２３ｂに締結されている。締結部材８０の内側には、手動弁７０の螺子部７３が螺着されている。
【００６２】
そして、操作部７４を手動操作して螺子部７３を締結部材８０に対し螺進又は螺退させることにより、ガイド部７１をガイド孔２３ａ内で摺動させて弁部７２を第２接続流路３２の第２端３２ｂに対し接離させることができる。そして、第２接続流路３２の第２端３２ｂを弁部７２によって開閉して、タンク側開口部３３ｂを介して第２接続流路３２とガスタンク１１を連通又は遮断させることができる。つまり、操作部７４の手動操作によって、タンク側開口部３３ｂを開閉させることができる。
【００６３】
ボディ２０内のガス流路３０は、バルブ側開口部３１ｂとタンク側開口部３３ｂとを連通する流路である。ガス流路３０は、第１接続流路３１及び弁室Ｓを含む第１流路Ａ１と、弁室Ｓ、第２接続流路３２、及びガイド孔２３ａを含む第２流路Ａ２とを有する。第１接続流路３１はバルブ側開口部３１ｂを有するため、第１流路Ａ１はバルブ側開口部３１ｂを含む。また、ガイド孔２３ａは、タンク側開口部３３ｂを有するため、第２流路Ａ２はタンク側開口部３３ｂを含む。
【００６４】
第１流路Ａ１の中心軸線を第１中心軸線Ｌ１とすると、第１中心軸線Ｌ１は、第１接続流路３１の中心軸線Ｖ１と一致する。第１中心軸線Ｌ１をバルブ側開口部３１ｂとは反対側へ延長した位置にある弁室Ｓの一部は、第１接続流路３１に含まれているといえる。また、第２流路Ａ２の中心軸線を第２中心軸線Ｌ２とすると、第２中心軸線Ｌ２は、第２接続流路３２の中心軸線Ｖ２と一致する。第２中心軸線Ｌ２をガイド孔２３ａとは反対側へ延長した位置にある弁室Ｓの一部は、第２接続流路３２に含まれているといえる。
【００６５】
そして、ガス流路３０は、第１流路Ａ１の第１中心軸線Ｌ１と第２流路Ａ２の第２中心軸線Ｌ２とが相互に交差する交差部Ａを有している。本実施形態では、交差部Ａは弁室Ｓに位置している。そして、電磁弁４０の弁体５１が接離する弁座２６は、交差部Ａよりも反第２流路Ａ２側となる第１流路Ａ１に配置されている。
【００６６】
また、第１流路Ａ１の第１中心軸線Ｌ１をバルブ側開口部３１ｂとは反対側へ延長した延長線上には、電磁弁４０の中心軸線となるスリーブ４１の中心軸線Ｎが位置する。つまり、第１流路Ａ１の第１中心軸線Ｌ１を車両前後方向Ｘに延長した位置に、電磁弁４０が位置している。一方、第２流路Ａ２の第２中心軸線Ｌ２は、手動弁７０の中心軸線となるガイド部７１の中心軸線Ｊと一致する。つまり、第２流路Ａ２の第２中心軸線Ｌ２を車両上下方向Ｚに延長した位置に、手動弁７０が位置している。電磁弁４０と手動弁７０は、ガス流路３０上におけるバルブ側開口部３１ｂ側から電磁弁４０及び手動弁７０の順に配置されている。
【００６７】
ガス流路３０は、ガスステーション１３からガスタンク１１への燃料ガスの充填時は、充填流路として機能し、ガスタンク１１から燃料電池１２への燃料ガスの供給時は、供給流路として機能する。
【００６８】
ここで、第１流路Ａ１の圧力を圧力Ｐ１とする。また、ガスタンク１１の貯留室の圧力をタンク圧Ｐ２とし、弁室Ｓの圧力を弁室圧Ｐ３とする。電磁弁４０が閉弁位置Ｋ１にあり、かつ手動弁７０によってタンク側開口部３３ｂと第２流路Ａ２が連通した状態では、圧力Ｐ１は、タンク圧Ｐ２より小さい（Ｐ１＜Ｐ２）。このとき、弁室Ｓは、第２接続流路３２、ガイド孔２３ａ及びタンク側開口部３３ｂを介してガスタンク１１の貯留室に連通しているため、弁室圧Ｐ３はタンク圧Ｐ２と等しくなる（Ｐ３＝Ｐ２）。
【００６９】
ガスタンク１１に燃料ガスを充填する場合には、手動弁７０によってタンク側開口部３３ｂを第２接続流路３２に連通させた状態でガスステーション１３から燃料ガスが供給されると、第１流路Ａ１の圧力Ｐ１が燃料ガスの供給圧力となり、付勢部材５０の付勢力に抗して、弁体５１のシール部５３が弁座２６から離れる。すなわち、電磁弁４０が開弁位置Ｋ２を取り、弁孔３１ａが開かれる。
【００７０】
すると、燃料ガスは、弁室Ｓを介して第２接続流路３２、ガイド孔２３ａ、及びタンク側開口部３３ｂを流れてガスタンク１１の貯留室に貯留される。したがって、ガスタンク１１に対する燃料ガスの充填時、第１流路Ａ１は、第２流路Ａ２の上流側となる。
【００７１】
そして、燃料ガスの充填が終了し、燃料ガスの供給が停止されると、第１流路Ａ１の圧力Ｐ１が低下し、付勢部材５０の付勢力により、弁体５１のシール部５３が弁座２６に着座する。すなわち、電磁弁４０が閉弁位置Ｋ１を取る。つまり、電磁弁４０は、ガスタンク１１に対する燃料ガスの充填時にはガス流路３０を開くとともに、燃料ガスの充填終了時にはガス流路３０を閉じる。
【００７２】
ガスタンク１１の貯留室の燃料ガスを燃料電池１２に供給する場合、手動弁７０によってタンク側開口部３３ｂを第２接続流路３２に連通させた状態で電磁弁４０のソレノイド５５が励磁される。この励磁により、可動鉄心４９が付勢部材５０の付勢力に抗して固定鉄心４７に引き寄せられ、可動鉄心４９が固定鉄心４７に接触する。すると、可動鉄心４９に取着された弁体５１が弁座２６から離れ、シール部５３が弁座２６から離れる。すなわち、電磁弁４０が開弁位置Ｋ２を取り、弁孔３１ａが開かれる。
【００７３】
すると、ガスタンク１１の貯留室の燃料ガスは、ガイド孔２３ａ、第２接続流路３２を流れ、弁室Ｓを介して第１接続流路３１に流れる。そして、燃料ガスは、継手内流路２４ｃ、配管２８、及び供給配管２９ｂを介して減圧弁１４によって減圧された後、燃料電池１２に供給される。ソレノイド５５が消磁すると、付勢部材５０の付勢力等により、弁体５１のシール部５３が弁座２６に着座する。すなわち、電磁弁４０が閉弁位置Ｋ１を取る。
【００７４】
次に、電磁弁４０及びバルブ装置１０の作用を説明する。
ガスステーション１３からガスタンク１１に燃料ガスを充填するとき、電磁弁４０の弁体５１が燃料ガスの供給圧力によって弁座２６から離れ、開弁位置Ｋ２を取る。このとき、図５に示すように、ガス規制部５４の接触面５４ａがスリーブ４１の第１端４１ｂに接触し、第１端４１ｂよりも弁座２６側からガス規制部５４によってスリーブ４１の第１端４１ｂが覆われる。つまり、スリーブ４１の内周面と本体部５２の外周面との隙間がガス規制部５４によって覆われる。詳細には、隙間の入口がガス規制部５４によって閉じられる。
【００７５】
ガスステーション１３からの燃料ガスが弁孔３１ａを通じて弁室Ｓに流れ込むが、弁室Ｓに流れ込んだ燃料ガスは、弁体５１のシール部５３の外周面に沿って流れ、弁体５１の隙間に向かう。しかし、シール部５３に沿って流れた燃料ガスは、ガス規制部５４のガス規制面５４ｂに当たり、弁座２６に向けて流し返される。つまり、弁室Ｓに流れ込んだ燃料ガスは、ガス規制部５４によって隙間に向けた流れが遮られるとともに、ガス規制部５４の周囲に滞留する。その後、弁室Ｓに流れ込んだ燃料ガスは、弁室Ｓから第２流路Ａ２に流れ込み、ガスタンク１１に充填される。
【００７６】
上記実施形態によれば、以下のような効果を得ることができる。
（１−１）ガスステーション１３からガスタンク１１への燃料ガスの充填時、電磁弁４０の開弁位置Ｋ２では、ガス規制部５４によって、スリーブ４１の内周面と弁体５１の外周面との隙間を覆うことができる。このため、弁室Ｓ内で隙間に向かう燃料ガスをガス規制部５４によって遮り、ガス規制部５４の周囲で滞留させることができる。その結果、隙間に向けて燃料ガスを流れ難くすることができ、隙間への燃料ガスの侵入を抑制できる。その結果、燃料ガスに含まれる水分が隙間に残ることを抑制できる。このため、低温時に、隙間にて水分が凍結することを抑制でき、電磁弁４０の作動不良の発生を抑制できる。作動不良である弁体５１の閉弁固着や開弁固着を抑制することで、燃料ガスの充填放出機能が発揮できなくなることや、弁体５１が開弁固着してガス流路３０の遮断ができなくなることを回避できる。
【００７７】
（１−２）ガス規制面５４ｂは、弁体５１の径方向に環状に延びる平坦面である。このため、隙間に向かう燃料ガスが当たりやすく、しかも、弁座２６に向けて流し返しやすい。このため、隙間に向けて燃料ガスを流れ難くすることができ、隙間への燃料ガスの侵入を抑制できる。
【００７８】
（１−３）第１流路Ａ１と第２流路Ａ２の交差部Ａは、ガス流路３０におけるガスタンク１１内部と弁座２６との間に位置する部位のうち、弁座２６よりもガスタンク１１内部側に位置する。このため、交差部Ａに作用するのは常にガスタンク１１内の圧力であり、交差部Ａに作用する圧力の変化が小さい。よって、ガス充填及びガス供給が行われる毎に、交差部Ａに発生する圧力変動による負荷を小さく抑えることができ、ガス流路３０への耐圧疲労寿命の悪影響が抑制される。
【００７９】
（１−４）鉄心間距離Ｒ１と弁体離間距離Ｒ２を同じにした。これにより、開弁位置Ｋ２では、ガス規制部５４の接触面５４ａがスリーブ４１の第１端４１ｂに接触し、スリーブ４１と弁体５１の隙間の入口がガス規制部５４によって閉じられる。その結果、弁室Ｓに流れ込んだガスの隙間への侵入をより一層抑制しやすい。
【００８０】
（第２の実施形態）  
次に、電磁弁及びバルブ装置を具体化した第２の実施形態を図６〜図７にしたがって説明する。なお、第２の実施形態は、第１の実施形態の弁体を変更したのみの構成であるため、同様の部分についてはその詳細な説明を省略する。
【００８１】
図６に示すように、弁体５１は、本体部５２と、ガス規制部５４と、円柱状の軸部９０と、シール部５３とが並んで構成されている。
ガス規制部５４は外周縁に返し部５４ｄを有する。返し部５４ｄは、ガス規制部５４の外周縁から弁座２６に向けて環状に突出する。返し部５４ｄは、ガス規制面５４ｂに対し直交している。
【００８２】
返し部５４ｄにおける弁座２６に向けた突出方向の先端にはテーパ面５４ｅが設けられている。テーパ面５４ｅは、弁体５１の径方向に沿った外周側から内周側に向かうに従い弁座２６に近づくように傾斜する。なお、本実施形態では、弁体５１の中心軸線Ｂに対するテーパ面５４ｅの傾斜角度θ２は、シール部５３の傾斜角度θ１より大きい。言い換えると、シール部５３の傾斜角度θ１は、テーパ面５４ｅの傾斜角度θ２より小さい。
【００８３】
シール部５３の円錐における傾斜に沿う仮想線Ｈをガス規制部５４に向けて延長した場合、仮想線Ｈは、ガス規制部５４におけるガス規制面５４ｂに交差する。シール部５３の傾斜角度θ１は、仮想線Ｈがガス規制部５４のガス規制面５４ｂに交差する角度に設定されている。上記したように、傾斜角度θ１は、傾斜角度θ２よりも小さい。このため、仮想線Ｈがガス規制部５４に交差するとは、仮想線Ｈが返し部５４ｄの内周面に交差する場合は含むが、仮想線Ｈがテーパ面５４ｅに沿う場合は含まない。
【００８４】
軸部９０の外径は、本体部５２の外径より小さい。つまり、軸部９０は、本体部５２より小径の円柱状である。そして、軸部９０の外周面と、返し部５４ｄの内周面とは、ガス規制面５４ｂによって繋がっている。弁体５１は、軸部９０の外周面と、返し部５４ｄの内周面と、ガス規制面５４ｂとによって画成される滞留部９１を備える。
【００８５】
図７に示すように、ガスステーション１３からガスタンク１１に燃料ガスを充填するとき、電磁弁４０の弁体５１が燃料ガスの供給圧力によって弁座２６から離れ、開弁位置Ｋ２を取る。このとき、ガス規制部５４の接触面５４ａがスリーブ４１の第１端４１ｂに接触し、第１端４１ｂよりも弁座２６側からガス規制部５４によってスリーブ４１の第１端４１ｂが覆われる。つまり、スリーブ４１の内周面と本体部５２の外周面との隙間が覆われる。
【００８６】
ガスステーション１３からの燃料ガスが弁孔３１ａを通じて弁室Ｓに流れ込む。弁室Ｓに流れ込んだ燃料ガスは、弁体５１のシール部５３に沿って弁体５１の外周面に向けて流れる。  
【００８７】
シール部５３に沿って流れた燃料ガスは、軸部９０の外周面に沿って流れた後、ガス規制部５４のガス規制面５４ｂに当たり、弁座２６に向けて流し返される。つまり、弁室Ｓに流れ込んだ燃料ガスは、ガス規制部５４によって遮られるとともに、ガス規制部５４の周囲となる滞留部９１に滞留し、弁体５１とスリーブ４１の隙間に向けて流れ難くなる。
【００８８】
また、燃料ガスは、ガス規制部５４に当たった後、ガス規制部５４の外周縁に向かって流れやすいが、ガス規制部５４の外周縁に流れた燃料ガスは返し部５４ｄによって堰き止められるとともに、弁座２６に向かうように燃料ガスが案内される。
【００８９】
そして、弁室Ｓに流れ込んだ燃料ガスは、弁室Ｓから第２流路Ａ２に流れ込み、ガスタンク１１に充填される。
従って、第２の実施形態によれば、第１の実施形態に記載の効果に加えて以下の効果を得ることができる。
【００９０】
（２−１）ガス規制面５４ｂに沿ってガス規制部５４の外周縁に向けて流れた燃料ガスを返し部５４ｄによって堰き止めることができる。さらに、返し部５４ｄにより、弁座２６に向かうように燃料ガスの流れを案内できる。このため、弁体５１とスリーブ４１の隙間に向けて燃料ガスを流れ難くすることができ、隙間への燃料ガスの侵入を抑制できる。
【００９１】
（２−２）軸部９０の外周面と、返し部５４ｄの内周面と、ガス規制面５４ｂとから滞留部９１が画成される。弁室Ｓに流れ込んだ燃料ガスは、ガス規制部５４によって遮られるとともに、滞留部９１に滞留するため、燃料ガスを隙間に向けて流れ難くすることができる。
【００９２】
（２−３）シール部５３に沿って隙間に向かう燃料ガスを、軸部９０の外周面に沿って流すことができるため、軸部９０の無い場合と比べると、燃料ガスをガス規制部５４の内周側に向けて流しやすくなる。つまり、燃料ガスがガス規制部５４の外周縁側に向けて流れ難くなり、燃料ガスを隙間に向けて流れ難くすることができる。
【００９３】
（２−４）テーパ面５４ｅの傾斜角度θ２をシール部５３の傾斜角度θ１より大きくした。このため、テーパ面５４ｅの傾斜角度θ２が、シール部５３の傾斜角度θ１より小さい場合と比べると、万一、テーパ面５４ｅに沿って燃料ガスが流れても、燃料ガスを、小径孔２１ａの内周面に向かうように案内しやすく、弁体５１とスリーブ４１の隙間に向けては、燃料ガスを流れ難くすることができる。
【００９４】
（２−５）シール部５３の円錐の傾斜に沿う仮想線Ｈがガス規制部５４に交差するようにシール部５３の傾斜角度θ１が設定されている。このため、シール部５３に沿って流れる燃料ガスをガス規制部５４に当たるように案内でき、弁座２６に向けて流し返しやすくなる。その結果、シール部５３により、燃料ガスを隙間に向けて流れ難くすることができる。
【００９５】
本実施形態は、以下のように変更して実施することができる。本実施形態及び以下の変更例は、技術的に矛盾しない範囲で互いに組み合わせて実施することができる。
・ガス流路３０において、バルブ側開口部３１ｂと弁室Ｓを繋ぐ流路を第２流路とし、タンク側開口部３３ｂが開口するガイド孔２３ａと弁室Ｓを繋ぐ流路を第１流路としてもよい。そして、ガイド孔２３ａと弁室Ｓを繋ぐ流路の第１端の周囲に弁座２６を形成し、弁座２６を、交差部Ａよりも第１流路側に配置してもよい。
【００９６】
・第２の実施形態において、シール部５３の傾斜角度θ１をテーパ面５４ｅの傾斜角度θ２より大きくしてもよいし、シール部５３の傾斜角度θ１と、テーパ面５４ｅの傾斜角度θ２とを同じにしてもよい。
【００９７】
・第２の実施形態において、返し部５４ｄのテーパ面５４ｅはなくてもよい。
・第１の実施形態において、ガス規制部５４に返し部５４ｄを設けてもよく、返し部５４ｄにテーパ面５４ｅを設けてもよい。
【００９８】
・弁体５１のシール部５３は円錐状でなくてもよく、円柱状でもよい。この場合、弁座２６は、小径孔２１ａの内底面２１ｃに向けて拡径する形状でなくてもよい。
・ガス規制部５４の外周面と、小径孔２１ａの内周面との離間距離は適宜調整してもよい。
【００９９】
・開弁位置Ｋ２では、ガス規制部５４の接触面５４ａがスリーブ４１の第１端４１ｂに接触し、スリーブ４１と弁体５１の隙間の入口がガス規制部５４によって閉じられるように、鉄心間距離Ｒ１と弁体離間距離Ｒ２を同じにした。これに限らず、開弁位置Ｋ２では、ガス規制部５４の接触面５４ａがスリーブ４１の第１端４１ｂから離れるように、鉄心間距離Ｒ１を弁体離間距離Ｒ２より小さくしてもよい。
【０１００】
・弁体５１は、可動鉄心４９の一部に形成されていてもよい。
・ボディ２０の前端面２０ａや後端面２０ｂに安全弁や他の配管が接続されていてもよい。
【０１０１】
・バルブ側開口部３１ｂには、分岐継手を介して充填用配管２９ａと供給配管２９ｂが接続されていてもよい。
・バルブ装置１０は、ボディ２０の第１方向が車両左右方向となり、第２方向が車両前後方向となるように燃料電池自動車Ｖに搭載されていてもよい。
【０１０２】
・電磁弁４０がボディ２０の後端面２０ｂに搭載され、継手２４がボディ２０の前端面２０ａに搭載されるように、バルブ装置１０が燃料電池自動車Ｖに搭載されていてもよい。
【０１０３】
・ガスとして水素ガスを記載したが、水素以外のガス（例えば、メタン、プロパン、ＬＰＧ）や天然ガスであってもよい。
【符号の説明】
【０１０４】
θ１…傾斜角度
Ａ…交差部
Ａ１…第１流路
Ａ２…第２流路
Ｈ…仮想線
Ｌ１…第１中心軸線
Ｌ２…第２中心軸線
１０…バルブ装置
１１…ガスタンク
２０…ボディ
２６…弁座
３０…ガス流路
３１ｂ…バルブ側開口部
３３ｂ…タンク側開口部
４０…電磁弁
４１…スリーブ
９０…軸部
４９…可動鉄心
５１…弁体
５２…本体部
５３…シール部
５４…ガス規制部
５４ｄ…返し部
【図１】
2022003261.tif 000003
【図２】
2022003261.tif 000004
【図３】
2022003261.tif 000005
【図４】
2022003261.tif 000006
【図５】
2022003261.tif 000007
【図６】
2022003261.tif 000008
【図７】
2022003261.tif 000009